Podtech/llm-jp-corpus-v4-ja_patent huggingface dataset:
(57)【要約】【課題】本発明は、片手で使い捨てコップと食品容器を保持し、もう一方の手で飲食動作を可能にすることを目的としている。【解決手段】容器底部（２）から上部の空間に食品などを収納する収納部（１）を形成し、ストロー保持部（３）は、飲料物が食品容器側に侵入しないように容器底部（２）の中心上部に位置するように設ける。容器に取り付ける蓋（４）は、食品容器と一体に加工成形し、ストローが挿入されている場合でも蓋を（４）開閉できるようにストロー用切り欠き（５）を設けるか、蓋（４）を別体で加工成形し、収納部（１）に取り付けることも可能である。【選択図】　　　　図４
2004016785.tif 000002
【特許請求の範囲】
【請求項１】
本発明は、食品容器にストロー保持部（３）を設け、容器底部（２）の形状がコップの開口部に装着できる形状を特徴とした使い捨てコップに装着する食品容器。
【請求項２】
食品容器に蓋（４）を取り付けた請求項１記載の使い捨てコップに装着する食品容器。
【発明の詳細な説明】
【０００１】
【発明の属する技術分野】
本発明は、イベントホールやアミューズメントスポット、また競技場や公園など屋内外で使用する食品容器に関するものである。
【０００２】
【従来の技術】
従来、屋内外の立食において、飲料物は紙やプラスチックなどの使い捨てコップ、食品は紙袋、紙器、プラスチック容器などに収納されているためテーブルや台等が無いと飲食は不可能だった。一部において堅牢なトレーを用意して丸穴を設置し、そこにコップを勘合はめ込んで使用するものがあったが重心が不確定であるため、持ち難く、飲料がこぼれないように常時水平を保つように気を使っていなければならなかった。
【０００３】
【発明が解決しようとする課題】
屋内外のテーブル等の無い場所で立食を行なう時、飲料の容器と食品の容器を各々持ってしまうと両手がふさがってしまい飲食動作が不可能になってしまう、この状況を食品容器の形状工夫において片手で両方の容器を保持し、もう一方の手で飲食動作を可能にすることを目的としている。
【０００４】
【課題を解決するための手段】
上記目的を達成するために本発明は、片手で保持できるように食品容器を使い捨てコップの真上に装着し、重心を安定させる。容器底部（２）は、コップ開口部に装着できるよう形状を合わせて形成し、コップにはめ込む、またテーパーを同一にして勘合を密着安定させる。
【０００５】
容器底部（２）から上部の空間に食品などを収納する収納部（１）を形成し、ストロー保持部（３）は、飲料物が食品容器側に侵入しないように容器底部（２）の中心上部に位置するように設けるが収納部（１）に収納する食品の種類によっては、中心上部以外の位置に設けることもある。
【０００６】
また請求項２記載の容器に取り付ける蓋（４）は、食品容器と一体に加工成形し、ストローが挿入されている場合でも蓋を（４）開閉できるようにストロー用切り欠き（５）を設ける。また蓋（４）を別体で加工成形し、収納部（１）に取り付けることも可能である。
【０００７】
これらの各部は紙やプラスチック、アルミ箔などを材料に使用してプレス成形、真空成形、射出成形などで加工成形する。
本発明は以上のような構成により課題を解決するための手段とする。
【０００８】
【発明の実施の形態】
飲料物を充填した使い捨てコップの開口部に本発明の食品容器の底部（２）を装着し、ストローをストロー保持部（３）に挿入し、食品を収納部（１）に盛り付ける。
【０００９】
屋外などで飲食する場合などには、あらかじめ蓋（４）付きの食品容器を使用する。あるいは、別体の蓋（４）を後から取り付けて盛り付けられた食品を保護する。
【００１０】
【発明の効果】
食品容器を使い捨てコップの真上に装着することで重心が安定するので片手で食品容器の装着された使い捨てコップを保持することができ、もう一方の手で盛り付けられた食品を食べる動作が可能になる。また飲料を飲む際は、挿入されたストローを使用することで充填された飲料を飲むことが可能である。
【００１１】
また屋外で飲食する場合などには、蓋付きの食品容器を使用するか、別体の蓋を取り付けることで食品を保護し、衛生面を保つことが可能である。
【図面の簡単な説明】
【図１】請求項１記載の食品容器を紙コップに装着していない状態での斜視図である。
【図２】請求項１記載の食品容器を紙コップに装着し、食品を盛り付けている状態での斜視図である。
【図３】請求項１記載の断面図である。
【図４】請求項２記載の蓋を一体で加工成形した食品容器を紙コップに装着していない状態での斜視図である。
【図５】請求項２記載の蓋を一体で加工成形した食品容器を紙コップに装着し、食品を盛り付けている状態での斜視図である。
【図６】請求項２記載の断面図である。
【符号の説明】
１　　収納部
２　　底部
３　　ストロー保持部
４　　蓋
５　　ストロー用切り欠き
【図１】
2004016785.tif 000003
【図２】
2004016785.tif 000004
【図３】
2004016785.tif 000005
【図４】
2004016785.tif 000006
【図５】
2004016785.tif 000007
【図６】
2004016785.tif 000008
(57)【要約】【課題】容器を手で持ち上げずに食べ物の上から、適量のしょうゆをそのつど、かけるための、押し出ししょうゆ差し器を提供する。【解決手段】容器（１）の上に、吸い上げポンプ（３）を兼ね備えたふた（２）に、おおいかぶさるトレイ（４）を設けその上部に乗った皿（６）を下側に押し下げることにより、パイプの出口（５ａ）よりしょうゆが出てくることを特徴とする。【選択図】　図１
2004016786.tif 000002
【特許請求の範囲】
【請求項１】
皿の上にある食べ物を箸ではさみ、押し下げる圧力によって、容器の中のしょうゆを吸い上げ、食べ物の上からかけることを特徴とする押し出ししょうゆ差し器。
【発明の詳細な説明】
【０００１】
【発明の属する技術分野】
この発明は、容器のふたに吸い上げ装置を施したしょうゆ差し器に関するものである。
【０００２】
【従来の技術】
従来のしょうゆのかけかたは、手で持って皿に入れていた。
【０００３】
【発明が解決しようとする課題】
これには、次のような欠点があった。
（イ）　人数が多いと、各皿にしょうゆを入れると、量が多く最後に残ったら無駄になるなど食べ物に必要な量の調整ができない。
（ロ）　しょうゆを上からかけて食するもので、たとえば、寿司などはいちいち手で上からかけることができず皿に移したしょうゆに、寿司の具を下側、つまりさかさまにしてつけるため形が崩れてしまうことがあり面倒である。
（ハ）　しょうゆ差し器が小さいとなんども補充しなければならなくなる。また、大きくなると手で持てなくなるため食卓で、しょうゆの使用量が多いときは不便である。
本発明はこれらの欠点を除くためになされたものである。
【０００４】
【課題を解決するための手段】
容器（１）のふた（２）に装着した吸い上げポンプ（３）をトレイ（４）が押し下げることにより、（５）のパイプの出口（５ａ）より（６）の皿の中心部へ注油する。
本発明は以上の構成よりなる押し出ししょうゆ差し器である。
【０００５】
【発明の実施の形態】
以下、本発明の実施例のついて説明する。
（イ）　容器（１）の外周に沿って、上下に自由にスライドする、トレイ（４）を設ける。
（ロ）　ふたの中心部に吸い上げポンプ（３）を設け、押し戻し用のコイルスプリング（３ａ）を装着する。
（ハ）　吸い上げポンプ（３）の出口から（６）の皿までパイプ（５）を設ける。
（ニ）　ふた（２）とトレイ（４）は一体化になっており、しょうゆを補充するときに容器（１）から共に離脱できる。
本発明は以上のような構造で、これを使用するときは、箸で挟んだ食べ物を（６）の皿の中心まで持っていきそのまま押しこむことによってトレイ（４）が下側へスライドし、同時に中の吸い上げポンプ（３）が作動して、圧力のかかったしょうゆがパイプ（５）を通り上の出口（５ａ）より出てくる。なお、押し圧によってしょうゆの出る勢いが変わるので箸の押しこみ方を調整することによりしょうゆの量を調整することができる。また、箸の力を抜くと押し戻し用のコイルスプリング（３ａ）によってもとの位置まで戻され、何回でも押し戻しを繰り返せば必要な量のしょうゆが供給される。容器（１）を透明のものを使用し、中のしょうゆの残量が解るようにする。また、容器（１）を大きくすればしょうゆの使用回数が長持ちし、その重量によって容器が安定する。
【発明の効果】
手で持ち上げてかける手間が省け、無駄なしょうゆを使わず出てくるしょうゆの調整が可能で、しかも、食べ物の上側からかけることで浸透度が増しおいしくなる。
【図面の簡単な説明】
【図１】本発明の正面図である。
【図２】本発明の分解図である。
【図３】本発明の使用状態を示す図である。
【符号の説明】
１　　容器
２　　ふた
３　　吸い上げポンプ
３ａ　コイルスプリング
４　　トレイ
５　　パイプ
５ａ　出口
６　　皿
【図１】
2004016786.tif 000003
【図２】
2004016786.tif 000004
【図３】
2004016786.tif 000005
(57)【要約】【目的】何らかの所用で病院を離れている医師には、院内では得られる医療画像情報を得る手段が無い。そのため判断の遅延が生じ、迅速で適切な治療が何時でも可能というわけではない。そこで、医師がどこにいても、医療画像情報を適切に伝達し、それを得た医師は適切な判断をすばやく行い、治療を病院に指示する。この事を可能とすることを目標とする。【構成】先ず医療画像をデジタル情報に変換する。次いでその画像を、医師の携帯通信端末に適したフォーマット、画像サイズに変換した後、携帯電話に対するメールとして送信する、または、画像サーバに保管して、メールが届いた医師は、この医療画像をダウンロードする。このようにして、医師はどこにいても医療画像情報を迅速に受信し、その得た情報を元に判断をすばやく行い、救急患者や病院内で急変した患者に対して、病院に迅速で適切な治療の開始を指示する。【特許請求の範囲】
【請求項１】
ＣＴ、ＭＲＩ、胸部単純写真などの放射線画像、腹部エコーなどのその他の画像、画像として処理した心電図などの医療画像情報を扱う。先ず、画像がデジタル情報化されていない場合には、各画像をパソコンでデジタル情報に変換する。一方、現在多くの種類の携帯端末が各社から販売され、流通しているが、その各々の端末において扱う画像フォーマットや、画面表示できる画像の大きさが異なる。そこで、医療画像情報をコンピュータ上で適切なフォーマットや画像サイズに変換し、得られたデジタル情報が、何種類も存在する携帯端末の各々に固有で適切な画像として表示されるようにする。そして病院は医師が携帯する端末にその携帯端末に適当になるように変換した画像情報を送信する。その結果、医師はどこにいても医療画像情報を得ることができるようになる。以上のごとく構成された携帯通信端末を用いた医療画像情報通信システム。
【請求項２】
このようなシステムを各病院が持たない場合は、設備や技術を含む支援を病院に対して提供するサービスシステム。
【０００１】
【発明の詳細な説明】
【発明に属する技術分野】
病院から離れた医師に対する病院からの医療画像情報の通信を最も普及した携帯電話の端末を利用して行うものである。
【０００２】
【従来の技術】
今までの医療情報の移動体通信システムは、病院内に存在しない患者側に送信端末が存在し、患者から得られた医療情報を、その移動端末が収集し、病院側がその情報を受信するというものであった。
【０００３】
しかし、その逆の場合も存在し、患者は病院にいるが、判断する医師が何らかの理由のために、病院以外の場所に存在することも考えられる。施設から離れた医師に対して画像情報を送信する容易なシステムは、現在のところ存在しない。
【０００４】
現在の携帯電話は、各々その受信できる画像フォーマットや画像サイズが異なり、例えばＣＴ、ＭＲＩ、胸部単純写真などの病院からのデジタル化された医療画像情報を自由にそのままの形で受信することはできない。また、携帯電話に付属したカメラで写真を撮影する方法は、同機種間に限定すれば送受信可能だが、元来のデジタル化された医療画像情報が、一度ディスプレイやＸ線写真のようなアナログ情報となり、それをさらに精度の悪いカメラで撮影するために出来上がった写真の精度は低下する。
【０００５】
上記の医療画像伝達を容易に通信する手段がない以上、この医療画像伝達を容易にするための技術や設備を医師に対して提供するサービスも存在していない。
【０００６】
【発明が解決する課題】
医師が何らかの所用で病院を離れている。その時に、救急患者や病院内で急変した患者が発生する。その場合、外にいる医師は、院内にいれば容易に得られる医療画像情報を得る適切な手段がない。そのため、患者の治療に対して適切な判断をその場で下すことが何時でも何処でも可能というわけではない。現在、広く普及している携帯端末は、個々の機種により扱う画像フォーマットが異なり、またその携帯端末は表示画面の大きさが異なるために、各携帯端末に適した画像を送信することは事実上困難である。従って、携帯電話が現在のそのままの形では医療画像情報を正確に伝達することは難しい。医療情報の伝達の遅れのために、医師の判断の遅れが生じていることは、現在の医療の課題の一つである。医師がどこにいても、医療画像情報を適切に伝達し、それを得た医師はその情報を元に適切な判断をすばやく行い治療を病院に指示する。この事を可能とすることを目標とする。
【０００７】
【課題を解決するための手段】
既存設備として存在する携帯端末を使用し、病院側からその携帯端末に固有な形のフォーマットや画像サイズに変えたデジタル医療画像情報を送信する。その結果、その画像情報を得た医師は適切な治療を病院に指示する。
【０００８】
【発明実施の形態】
先ず、個々のＣＴ、ＭＲＩ、胸部単純写真、腹部エコー、心電図などの医療画像を、画像がデジタル情報化されていない場合には、デジタル情報に変換する。次いで得られた医療画像を、医師が携帯する個々の携帯端末に適した画像フォーマット、画像の大きさに変換する。その後、この医療画像情報を携帯電話に対するメールとして送信する、または、画像サーバに保管して、メールが届いた医師は、この画像サーバに接続して、この医療画像をダウンロードする。このようにして、医師はどこにいても医療画像情報を迅速に受信し、その得た情報を元に判断をすばやく行い、救急患者や病院内で急変した患者に対して、病院に迅速で適切な治療の開始を指示する。
【０００９】
上記のようなシステムを各病院が持たない場合は、設備や技術を含む支援を病院に対してサービスとして提供する。
【００１０】
【発明の効果】
今回のようにして構成されたシステムにより、救急患者や病院内で急変した患者が発生した場合、医師がどこにいても病院からの医療画像情報を迅速に受信し、判断をすばやく行い、病院内での迅速で適切な治療を開始する事が可能となり、医療レベルの向上に大きく寄与する。
(57)【要約】【目的】本発明は、地震により家具等の倒壊を防止することを目的とする。【解決手段】壁固定面（１）と家具固定面（３）の間に伸縮機能を持った弾性体（２）を設けた免震固定具である。【選択図】　図１
2004016781.tif 000002
【特許請求の範囲】
【請求項１】
壁固定面（１）と家具固定面（３）の間にを弾性体（２）を設けたことを特徴とする免震固定具。
【発明の詳細な説明】
【０００１】
【産業上の利用分野】
本発明は、家具等の固定具に関するものである。
【０００２】
【従来の技術】
従来は、図２に示すように家具を壁に金具等で取り付けていた。
【０００３】
【発明が解決しようとする課題】
これには次の欠点があった。
図３に示す様に、地震が起こった場合地震力（６）で家具を固定していた金具のビス（５）が抜け倒壊する恐れがあった。
本発明は、以上の欠点を解決するためになされたものである。
【０００４】
【課題を解決するための手段】
壁固定面（１）と家具固定面（３）の間に伸縮機能を持った弾性体（２）を設けた免震固定具である。
【０００５】
【発明実施の形態】
以下、本発明の実施形態について説明する。
壁固定面（１）と家具固定面（３）の間にを弾性体（２）を設ける。
本発明は、以上の構成よりなる免震固定具である。
本発明を使用するときは、図４に示すように、壁固定面（１）にビス（５）をビス穴（４）に通し壁に固定する。家具固定面（３）にビス（５）をビス穴（４）に通し家具と固定する。地震の時は図５に示すように前後、左右の地震力（６）を、また、図６では上下の地震力（６）を伸縮機能を持った弾性体（２）で吸収しビス（５）を引き抜く力を和らげ、家具等の倒壊を防ぐ。
【０００６】
【発明の効果】
以上のように、この発明によると、地震時に地震力（６）は弾性体（２）に吸収され壁固定面（１）と壁、家具固定面（３）と家具を固定しているビス（５）を引き抜く力を和らげ、家具等は倒壊から守られる。
【０００７】
【図面の簡単な説明】
【図１】本発明の斜視図
【図２】従来施工例を示す断面図
【図３】従来施工例で、地震力（６）によってビス（５）が引き抜かれる状態を示す断面　　　　　　図
【図４】本発明の使用状態を示す断面図
【図５】本発明の使用状態を示し、前後、左右の地震力（６）を吸収し家具を倒壊　　　　　　から守る状態を示す断面図
【図６】本発明の使用状態を示し、上下の地震力（６）を吸収し家具を倒壊から守　　　　　　る状態を示す断面図
【符号の説明】
１　壁固定面
２　弾性体
３　家具固定面
４　ビス穴
５　ビス
６　地震力
【図１】
2004016781.tif 000003
【図２】
2004016781.tif 000004
【図３】
2004016781.tif 000005
【図４】
2004016781.tif 000006
【図５】
2004016781.tif 000007
【図６】
2004016781.tif 000008
(57)【要約】【課題】非力な或いはヘッドスピードの無いゴルフのプレイヤーのために、飛距離を伸ばし且つ狙った場所に精確に打球する事の出来るゴルフクラブのヘッドを提供すること。【解決手段】基本的には、ヘッド本体部を組み合わせて構成し、内側に空間部を形成し、この空間部内にスプリングに依って常時負勢されて空間部前面の内壁周縁面に押圧されているフェース板を摺動自在に並進移動のみを許容するようにガイド部を設けて挿入して成るクラブヘッドとして課題を解決するものである。【選択図】　　　図２
2004016783.tif 000002
【特許請求の範囲】
【請求項１】
複数の部品を組み合わせて構成するゴルフクラブのヘッドにおいて、ヘッド本体内部に前面が開口する空間部を設け、該空間部内の前面内壁に設ける周縁面に、常時は、該空間部の奥面に固定されるスプリングに依り負勢されて当接するフェース板を該空間内で移動可能に収納し、該フェース板の前面で打球したときに、衝突時の反作用により移動して前記スプリングを圧縮し、そのスプリングの反発力で打球に増勢を与える事を特徴とするゴルフクラブのヘッド。
【請求項２】
前記フェース板の側面を筒状に形成して前記空間部を構成する内壁に摺動自在に収納して成る、揺動を防止し並進移動のみを許容する請求項１に記載のゴルフクラブヘッド。
【請求項３】
平板状フェース板の裏面及び空間部の奥面に設けるスプリング固定板に、摺動可能に嵌合する筒状体と棒状体のいずれかを各々設けて成る摺動部を有し、フェース板の揺動を防ぎ並進移動のみを許容する請求項１に記載のゴルフクラブヘッド。
【発明の詳細な説明】
【０００１】
【発明の属する技術分野】
本発明は、ゴルフクラブヘッドの改良に関わるものであり、特には、素人向けに飛距離を伸ばすことを可能とするドライバークラブのヘッドに関するものである。
【０００２】
【従来の技術】
従来のゴルフクラブのヘッドにあっては、打球をより遠くへ飛ばすための工夫は、専らクラブヘッドの素材の選定により改良され実施されて今日に至っている。即ち、ヘッドのフェース板の素材が、ウッドから各種合金を経てチタン材に移行し、亦フェース板の厚さ、形状或いは重さ等の変更での改良も為されているが、そもそもフェース板がヘッド本体に固定されたものとしての改良でしかなかった。従って、現時点でのプレイヤー特に素人の力量では、飛距離に大きな差が生じていないのが現状である。
【０００３】
【発明が解決しようとする課題】
本発明は、非力なプレイヤー或いはヘッドスピードの無いプレーヤーが打球したときに、より遠くへ亦精確に狙った場所へ球が飛ぶことを容易にするゴルフクラブのヘッドを提供する事を課題としている。
【０００４】
【課題を解決するための手段】
上記課題を解決するために、本発明のゴルフクラブのヘッドにおいては、基本的には複数の部品の組み合わせによりヘッド本体内に空間部を形成し、この空間部内に、打球するフェース板を並進移動のみを許容するように挿入して成るものであり、フェース板の打球面とは反対側に当たる裏面を、空間部の奥面で固定されるスプリングで負勢して、打球時にはスプリングの弾性反発力で打球を加勢するとともに、前記フェース板を筒状に形成し空間部を構成する内壁に摺動自在に嵌合させ或いはフェース板の裏面と空間部の奥面のそれぞれに筒状体とこの筒状体に摺動自在に嵌合する棒状体のいずれかを設けて嵌合部を形成し、フェース板の揺動を防止し並進移動のみを許容するクラブヘッドとすることで課題を解決している。
【０００５】
【発明の実施の形態】
以下、図に示す本発明の実施例に従って実施態様を詳述する。
図１は、ゴルフクラブヘッド部の前面を示したものであるが、クラブヘッド１の前面にフェース板２が外観されている。
図２は、図１に於けるＡＡ′断面を表す一つの実施例であり、ヘッド部に、筒状に形成するクラブ前部本体１及び前記筒状の後部となる開口部を端面で閉塞するクラブ後部本体１ａにより空間部を形成し、この空間部内に、側面を筒状２ａに形成するフェース板２を、一端が空間部の奥面となるクラブ後部本体１ａの端面に固定されて内蔵されているスプリング４により負勢して、フェース板２がクラブ前部本体１の前方開口部の内壁周縁面に当接する常態を示したものである。尚、クラブ前部本体１とクラブ後部本体２ａはビス５により組み合わされ固定されている。フェース板２が内側に移動したときの圧縮された空間部内の空気を排出して移動を容易にするためにクラブ前部本体１に通気孔６を設けてある。
【０００６】
前述の構成で成るヘッドを有するクラブで打球するときに、フェース板２の打球面に球が当たった瞬間にフェース板２がスプリング４を圧縮し、スプリング４の反発力で打球に加勢を付けることができ、通常のクラブに比べて飛距離を伸ばす事が可能となると同時にフェース板２の揺動が無く狙った場所へ球を飛ばし易くなるものである。
【０００７】
図３は、他の実施例における、図１のＡＡ′断面であり、平板状のフェース板２の裏面に棒状体２ｂを突出させて設け、クラブ前部本体１とクラブ本体１ａによって形成される空間部内の奥面に一面に前記棒状体２ｂと摺動自在に嵌合する筒状体３ａから成る嵌合部を設けるスプリング固定板３を用いてスプリング４を負勢している例である。
【０００８】
図４は、図１におけるＢＢ′断面で示す他の実施例であり、図２に示すフェース板２の裏面及びスプリング固定板３に２個の棒状体２ｂと２個の筒状体３ａを設けて２カ所の嵌合部を形成するものも例であり、より安定するフェース板２の並進移動を行わせるものである。
嵌合部の形状は円筒形が、制作上望ましいが、円筒形以外に角筒形等であっても勿論実施は可能である。
【０００９】
【考案の効果】
以上に説明した通り、本発明により、課題すなわち飛距離を伸ばし意図した場所へ精確に打球を運ぶ事のできるゴルフのクラブヘッドを提供すると言う目的を十分に達成できる特有の効果を有する他に、特に遊びの一環とする素人のゴルフプレイヤーに好適なものとなり、更にパークゴルフにおけるプレイヤーに対して、打球時の手に加えられる衝撃を緩和出来る等の効果を有するものである。
【図面の簡単な説明】
【図１】ゴルフクラブのヘッド部の前面外観図。
【図２】一実施例を示す図１におけるＡＡ′断面図。
【図３】他の実施例を示す図１におけるＡＡ′断面図
【図４】更に他の実施例を示す図１におけるＢＢ′断面図。
【符号の説明】
１　　　クラブ前部本体
１ａ　　　クラブ後部本体
２　　　フェース板
２ａ　　　筒状
２ｂ　　　棒状体
３　　　スプリング固定板
３ａ　　　筒状体
４　　　スプリング
５　　　ビス
６　　　通気孔
【図１】
2004016783.tif 000003
【図２】
2004016783.tif 000004
【図３】
2004016783.tif 000005
【図４】
2004016783.tif 000006
(57)【要約】　　　（修正有）【課題】この発明は、靴の内底又は中敷に送気管・換気口を設けて、足踏み式吸排気ドームから送り出す空気で靴内の換気を行う装置に関するものである。【解決手段】板１に送気管２及び換気口３、吸排気口５を設け、又板１の土踏まずの部分に弾力性のある足踏み式吸排気ドーム４を設ける。又、この足踏み式吸排気ドーム４に換気口３を設ける。【選択図】　図２
2004016779.tif 000002
【特許請求の範囲】
【請求項１】
（イ）弾力性のある板１に、送気管２及び換気口３、吸排気口５を設ける。
（ロ）弾力性のある板１の土踏まずの部分に、弾力性のある足踏み式吸排気ドー
ム４を設ける。
（ハ）弾力性のある足踏み式吸排気ドーム４に、換気口３を設ける。
【請求項２】
吸排気口５を、吸排気管６に設けた請求項１の靴内の換気装置。
【発明の詳細な説明】
【０００１】
【発明の属する技術分野】
この発明は、靴の内底又は中敷きに送気管及び換気口を設け、土踏まずの部分に設けた弾力性のある足踏み式吸排気ドームに体重がかかるたびに、靴内に空気が送り込まれ、換気する装置に関するものである。
【０００２】
【従来の技術】
従来の靴は、換気が非常に悪く、特に長靴・ブーツ等背丈のある靴は内部がムレムレ状態である。又、従来の中敷きを使用しても臭いなどを幾分軽減するものの持続性が弱く、又汗等湿気の根本的な解決につながらなかった。その為、足に皮膚病を持った人には辛いものがあった。又、メッシュタイプの靴があるものの、肝心の足の裏までは換気されず、雨天時・冬場にも不適当であった。
【０００３】
【発明が解決しようとする課題】
したがって、各メーカーとも、靴内の臭いを軽減させる為に中敷きに脱臭剤・抗菌剤を用いたり、靴下自体に通気性・抗菌性のある繊維を研究してきたが、臭い又は菌の繁殖の根本的な原因である靴内の高湿・換気の悪さを解決しなかった。本発明は、こうした使用者の強い要望に応えるために発明されたのである。
【０００４】
【課題を解決するための手段】
いま、その構成を説明すると、
（イ）弾力性のある板１に、送気管２及び換気口３、吸排気口５を設ける。
（ロ）弾力性のある板１の土踏まずの部分に、弾力性のある足踏み式吸排気ドーム４を設ける。
（ハ）弾力性のある足踏み式吸排気ドーム４に、換気口３を設ける。
以上のように装置する。
【０００５】
【発明の実施の形態】
次に本発明の実施の形態を述べると、歩いている時の靴内の空間は、足をけって持ち上げた時に土踏まずの部分に発生する。
したがって、土踏まずの部分の弾力性のある足踏み式吸排気ドーム４に空気が入り込みふくらむ。そして、足を下ろしたときに土踏まずの部分にも体重がかかり、そのことで、弾力性のある足踏み式吸排気ドーム４に溜まった空気が送気管を通じて靴内の各々の換気口３に送られる。
また、背丈のある長靴・ブーツ等の場合は、吸排気管６を通して吸排気が行われ、目的を達することが出来る。
【０００６】
【発明の効果】
だから靴内の空気は常に動き、高湿・換気の悪さを改善できる効果がある。
【図面の簡単な説明】
【図１】本発明の平面図
【図２】本発明の斜視図
【図３】本発明の他の実施例の斜視図
【符号の説明】
１は板
２は送気管
３は換気口
４は足踏み式吸排気ドーム
５は吸排気口
６は吸排気管
【図１】
2004016779.tif 000003
【図２】
2004016779.tif 000004
【図３】
2004016779.tif 000005
(57)【要約】【課題】成人も児童も睡眠不足が問題視されている。睡眠不足による疲労感、倦怠感、偏頭痛を解消する装置を提供しようとするものである。また従来のマイナスイオン発生装置は、そのマイナスイオン発生量を確認できる機能を備えていなかった。【解決手段】本発明に係る音響機能、マイナスイオン発生量測定機能付きマイナスイオン発生装置は、マイナスイオン発生装置１に音響機能２およびマイナスイオン発生量表示部８を組込み、リモートコントロール部３に音響の種類選択４ボリューム調整５とタイマー時間調整６およびマイナスイオン発生量測定機能７、マイナスイオン発生量表示部８を設けたものである。【選択図】図１
2004016774.tif 000002
【特許請求の範囲】
【請求項１】
波の打ち寄せる音、小川のせせらぎの音、自然界の音を発する音響機能とマイナスイオン発生量表示部及びリモートコントロール部を設けたことを特徴とするマイナスイオン発生装置。
【請求項２】
リモートコントロール部に音響の種類選択、ボリューム調整とタイマー時間調整及びマイナスイオン発生量測定機能、発生量表示部を設けたことを特徴とする請求項１記載のマイナスイオン発生装置。
【発明の詳細な説明】
【０００１】
【発明の属する技術分野】
本発明に係る音響機能、マイナスイオン発生量測定機能付きマイナスイオン発生装置は、水の音響効果とマイナスイオンのやすらぎ効果との相乗効果で深い瞑想状態および睡眠を得ることにより疲労回復、健康回復、不眠解消を目的とすること及びマイナスイオンの発生量を視覚で確認することを目的とするマイナスイオン発生装置を提供するものである。
【０００２】
【従来の技術】
従来のマイナスイオン発生装置は、電磁波障害の除去、イオン結合による有害化学物質の無害化や空気の爽快感を高める機能を備えている。
【０００３】
【発明が解決しようとする課題】
しかしながら、以上の従来技術によればマイナスイオン発生装置は、音響機能を備えていない。またその特性であるマイナスイオン発生量を人間の視覚で確認できる機能を備えていなかった。本発明は、マイナスイオンと水の音響の相乗効果により深い瞑想および睡眠を誘い、安定した情緒と健康を維持するマイナスイオン発生装置である。特に、十分な睡眠なくしては、いくら栄養を摂り、体を鍛えても健康にならない。深い睡眠が自律神経の働きを高め、生体の調節機構がうまくいくのである。睡眠不足による居眠り事故は、日常茶飯事である。児童に対するパソコンの電磁波およびコンピュータゲームによる睡眠不足も問題視されている。睡眠不足による疲労感、倦怠感、だるさ、偏頭痛を解消する装置を提供しようとするものである。またマイナスイオン発生装置は、その効果を直接に確認する機能を備えていなかった。そこでマイナスイオン発生装置から発生する発生量をリモートコントロール部に設けたマイナスイオン発生量測定機能で測定し、具体的に発生量をデジタル数字でマイナスイオン発生装置本体とリモートコントロール部に表示することにより、マイナスイオン発生量を視覚確認できる装置を提供することを課題とする。
【０００４】
【課題を解決するための手段】
以上の課題を解決するために、請求項１の発明に係る音響機能付きマイナスイオン発生装置は、波の打ち寄せる音、小川のせせらぎの音を発する音響機能を設け、音響機能には音響の種類選択とボリューム調整とタイマー時間調整を備えたリモートコントロール部を設けて、お気に入りの機能を選択し瞑想、睡眠状態に入る。マイナスイオン発生装置から出るマイナスイオンの電磁波障害の除去、有害化学物質の無害化や空気の爽快感を高める機能の効果と水の音響が持つやすらぎの相乗効果から得られる深い瞑想状態や熟睡作用により情緒を安定させ、神経を癒し、精神的充足感、心の安らぎを感じることができる。また特に睡眠においては、目覚め後の疲労回復、健康回復、不眠解消に貢献する。また請求項２の発明に係るリモートコントロール部に設けたマイナスイオン発生量測定機能及び発生量表示部でマイナスイオン発生能力をデジタル数字で確認できることを特徴とするマイナスイオン発生装置である。
【０００５】
【発明の実施の形態】
本発明は、次に一実施形態の説明の中において記述する。
添付図面は、本発明に係る音響機能付きマイナスイオン発生装置の実施形態について図示しているものである。図１は、マイナスイオン発生装置１に音響装置２、マイナスイオン発生量表示部８を設けた平面図を示すものである。
図２は、リモートコントロール部３に音響の種類選択４、ボリューム調整５、タイマー時間調整６、マイナスイオン発生量測定機能７、マイナスイオン発生量表示部８を設ける。音響の種類選択４を設けて、川のせせらぎ音、波の打ち寄せる音、自然界における音などお気に入りの音響の種類を選ぶようにしたものである。ボリューム調整５を設けて、音響のお気に入りボリュームを選ぶようにしたものである。タイマー時間調整６を設けて、音響を聴くお気に入り時間の長さを選ぶようにしたものである。マイナスイオン発生量測定機能７を設けて、マイナスイオン発生量を計測するようにしたものである。マイナスイオン発生量表示部８を設けて、マイナスイオン発生量を具体的にデジタル数字で表示し、視覚でもって確認するようにしたものを斜視図で示したものである。
【０００６】
【発明の効果】
本発明に係る音響装置、マイナスイオン発生量測定及び表示機能付きマイナスイオン発生装置は、以下のような発明の効果を奏するものである。
有害化学物質の無害化、電磁波障害の除去や空気の爽快感を高める機能を備えていることで従来、マイナスイオン発生装置は単体製造するかエアコン装置、扇風機内に組み込んで、その特性を利用していた。しかし、その特性は人間の視覚や聴覚で体感できる機能を備えていなかったことにより、マイナスイオン発生能力の確認や能力比較ができないことが欠点であった。本発明で使用する音響機能、マイナスイオン測定及び表示機能付きマイナスイオン発生装置は、小川のせせらぎ音、波の打ち寄せる音を聴覚でもって体感し、情緒を安定させ、神経を癒し、精神的な充足や心のやすらぎを感じることにより、深い瞑想状態や睡眠時の熟睡を得ることができる点に、従来のマイナスイオン発生装置との相違がある。またマイナスイオン発生量は、デジタル数字による具体的な表示を視覚でもって体感確認できることは、マイナスイオン発生装置に信頼感、安心感を抱かせ、深い満足を覚えることができる点に、従来のマイナスイオン発生装置との相違がある。こうして、本発明はマイナスイオン発生装置の特性を、体感できる画期的な方法と言える。
【図面の簡単な説明】
【図１】マイナスイオン発生装置の平面図
【図２】リモートコントロール部の斜視図
【符号の説明】
１．・・・マイナスイオン発生装置
２．・・・音響機能
３．・・・リモートコントロール部
４．・・・音響種類選択
５．・・・ボリューム調整
６．・・・タイマー時間調整
７．・・・マイナスイオン発生量測定機能
８．・・・マイナスイオン発生量表示部
【図１】
2004016774.tif 000003
【図２】
2004016774.tif 000004
(57)【要約】【課題】靴等を履いた状態で足指の湿気、臭いを吸収したり水虫等の治療や芳香発散に用いる用具として簡便に装着可能な衛生紐を提供するものである。一種のアクセサリー品を兼用させるため紐の色彩をカラフルにする。【解決手段】吸湿、吸臭性と適度な弾力をそなえた衛生紐で足指にはめ込む５個の輪を設け本体を各足指の陥凹部にはめ込むことを特徴とする。【選択図】　図１
2004016761.tif 000002
【特許請求の範囲】
【請求項１】
吸湿、吸臭性と適度な弾力性のある素材の紐で
【図２】の様に５個の輪を作り
【図１】の如く中足趾骨間接部に装着する。
【請求項２】
紐の色調、形等にアクセサリー的要素を加味する。
【発明の詳細な説明】
【０００１】
【発明の属する技術分野】
イ、この発明は足指に吸湿、吸臭性のある紐を簡便に巻き付け足指先のむれやいやな臭いを防ぐ衛生具に関するものである。
ロ、この紐に水虫等の外用薬や芳香剤を塗布又はしみ込ませその効能を持続させる補助具に関するものである。
【０００２】
【従来の技術】
従来には包帯や足袋（各指先が別れているもの）の指先付け根の前部分を切断した形態のものを利用して来た。
【０００３】
【発明が解決しようとする課題】
従来のものには次の様な欠点があった。
イ、装着するのに手間がかかる。
ロ、かさばるので靴と皮膚に無駄な摩擦がかかる。
ハ、個人の足のサイズに関係なく一定のサイズで作られている。
ニ、見た目に粗野である。
本発明は以上の欠点を解決する次の利点がある。
イ、装着が簡便である。
ロ、個々人のサイズに関係なくフィットさせることが出来る。
ハ、この紐が納まるのは中足趾骨間接部にあたるため靴等を履いた時にも違和感が生じない。
ニ、紐の太さ、色調を選ぶことにより足指部分にアクセサリー的要素を加味することが出来る。
ホ、薬剤、芳香剤等を塗布、吸収させその効能を持続させることが可能である。
【０００４】
【課題を解決するための手段】
吸湿、吸臭性と適度の弾力性のある紐を用い５本の足指にはめ込む輪からなる衛生紐を提供する。
その紐のサイズを　３種類（Ｓサイズ，Ｍサイズ、Ｌサイズ）として個々の足のサイズにフィットし　かつ簡便に装着出来るようにする。
又アクセサリー的要素を取り入れるために紐の色彩をカラフルにする。
本発明は以上の構成よりなる足指の衛生具である。
【０００５】
【発明の実施の形態】
イ、吸湿、吸臭性と適度の弾力性のある素材で
【図２】の様な５個の輪を持つ衛生紐を提供する。
ロ、
【図１】の様に紐を中足陥凹部にはめ込む。
ハ、薬剤、芳香剤等は患部又は紐に適度に塗布、吸収させ使用する
ニ、紐の色彩は多様に準備し足元のアクセサリーとして兼用する。
【０００６】
【発明の効果】
本発明を使用することによって水虫等の治療、靴の中の脱臭、芳香の効果を高めると共に足指先のアクセサリー品を兼ねて利用することが可能である。
【図面の簡単な説明】
【図１】本発明　装着時の平面図
【図２】本発明の側面図
【符号の説明】
（１）衛生紐
【図１】
2004016761.tif 000003
【図２】
2004016761.tif 000004
(57)【要約】【課題】従来の波動測定器は、大型で専門化向けでした。本発明の指波動力測定器は、小型にし誰でも簡単に操作可能にした。今までの測定器は重く、移動に大変であつた。【解決手段】本発明指先波動のみ測定器であり専門化向けではない。使いようによつては専門家でも使用できる。どこにでも簡単に持ち運べる。【選択図】図１
2004016769.tif 000002
【特許請求の範囲】
【請求項１】
本発明は、指先と指先を力いつぱい入れたときにどれくらいの波動が生じるか、その波動の測定をする測定器出ある。測定には検針方式とデジタル方式にする。計測には、手動方式と電源方式の二通りを取り入れた。
【請求項２】
本発明品は、手動の場合は検針方式し、スプリング、歯車、電動ワイヤーを使用した。歯車の組み合わせ、スプリングの組み合わせにより本発明品はなりたつ。
【請求項３】
本発明品は、電動方式には、スプリング、歯車、デジタル　カウター、バツテリー、電動ワイヤーの組み合わせである。
【請求項４】
本発明品の使用素材は、プラスチツク、ステンレス鋼、銅、シリコン樹脂、半導体、を使用、
【発明の詳細な説明】
【０００１】
【発明の属する技術分野】
本発明は、指先波動の測定器です。親指と人さし指で、ローマ字のＯを作る、このＯリングを作るに関して、指先、指力の強弱を調べ機械です。本発明の測定器を右利きの人は右に持ち、左利きの人は左に持ち、親指と人指し指の中に波動測定器をニギリ測定器の決められた位置に親指と人指し指だ力を込めて握ることによ検針、もしくはデジタル　カウンターが作動する。
親指と人指し指の波動の強弱により、いろいろの測定が可能になる。この測定器を利用して相性占い、又は、健康診断等もできてしまう。
本発明は、医療機器にも役立つ。
【０００２】
【従来の技術】
波動測定器（コンパクト）は、大きい測定器はいくつかはあるが普及は乏しく、本発明の指波動力測定器は小型であり、個人、個人で持て、遊びごころで使用できる。
従来の波動測定器は、専門家向きに作成されており、波動測定器を使用し、健康診断法としての｛バイ　デイジタル　Ｏリングテスト｝は、今では欧米を中心に多くの病院で波動診断がおこな割れてます。日本国内では医師の一部の人が親指、人指し指にてＯリングを作らせその波動の強弱利用して病気の診断、ツボ診断をおこなつている。
【０００３】
【発明が解決しようとする課題】
以上に述べた従来の波動測定器は、専門家用であり、小型ではなく設置用であり、大型です。本発明品は軽量であり、誰でも簡単に持ち運び出来、操作も簡単にした。
【０００４】
本発明はこのような従来の構成が有していた問題を解決しようとするものであり、波動測定器をどこにでも持ち運べるようにしたのが指波動力測定器です。
【０００５】
【課題を解決するための手段】
本発明は、執拗最小限の外装も従来の設置用ではなく、またよけいな計器を取り除き誰でも簡単に操作が出来、どこにでも置ける。
【０００６】波動測定に伴う外部からの電磁波等を遮断し、指先波動のみの測定をする。
【０００７】
【作用】
上述したように本発明の指波動力測定器は、人間の親指、人指し指からでるエネルギー、すなわ波動を簡単に捕らえられ、使用者の方々に違和感なく、コンパクトです。
【０００８】
また、使用者の使用方法を工夫次第だいろいろな楽しめる。
【図面の簡単な説明】
【図１】指波動力測定器の断面図である、
【符号の説明】
１　　　　親指、人指し指で握る部分
２　　　　強弱判定するスプリング
３　　　　歯車
４　　　　検針針
５　　　　外形ケース
６　　　　スプリング
７　　　　外装ケース
８　　　　電池収納
９　　　　半導体
１０　　　　デジタル　カウンター
１１　　　　波動握り部
１２　　　　センサー榛
【図１】
2004016769.tif 000003
(57)【要約】【課題】ぎこちない動きに加え金具等での被介護者又は寝具の巻き込みがおき、この事が被介護者に大きな負担になる、ベッド上で便器の使用が容易にできると共に被介護者の不安などを取除き便器昇降前後装置がスムーズに動くことを提供する。【解決手段】細長く分割されたマットの途中より互い違いにスリット入れたマットを配しその一端をベッドに固定する。分割されたマットの約３分の１の部分にはステーが有りマット内にステー本体が組み込まれている。ステー自体は、便器昇降前後装置に完全固定されずステー下部に袋キャップを取り付け便器昇降前後装置に配したステーに差し込むことを特徴とする。【選択図】　　　　図６
2004016763.tif 000002
【特許請求の範囲】
【請求項１】
便器昇降用開口を備えたベッド本体と、ベッド本体の下側に組み込まれてベッド本体に対し昇降前後可能に支持された便器と、便器を前記ベッド本体の開口からベッド面上に上昇させた上昇位置とベッド本体の下側に格納された下降位置との間で移動させる便器昇降前後装置を特徴する介護用ベッドにおける便器昇降前後装置用マット。
【請求項２】
前記ベッド本体は、通常時は前記開口を被い前記便器の上昇時にはその便器の上昇力で押し上げられるマットであり、請求項１に記載の便器昇降前後装置用マット。
【請求項３】
前記便器昇降前後装置用マットは、通常時はその周辺のマット部分と共に平坦なマット面を形成し、前記便器の上昇時には周辺のマット部分に対し浮き上がるように持ち上げられて前進し、前記便器の使用が終わるまでその状態に保持され、使用が終わると後退し前記便器の下降時には便器と共に下降して、その便器が通り抜けた後の前記マット本体の開口を蓋する形態となる請求項１又は２に記載の便器昇降前後装置用マット。
【請求項４】
前記便器の上昇時に前記便器昇降前後装置用マットを押し上げるステー等の押し上げ部材がマット内に組み込まれており、前記便器に対しマット面に沿った方向に相対的に接近・離間可能に設けられ、その便器が上昇位置にあるときに前記押し上げ部材が前記昇降前後装置用マットを持ち上げて静止した状態で、便器が被介護者の局部側へ移動することが許容される請求項２又は３に記載の便器昇降前後装置用マット。
【発明の詳細な説明】
【０００１】
【発明の属する技術分野】
この発明は便器付介護用ベッドにおける便器昇降前後装置用マットに関するものである。
【０００２】
【従来の技術】
従来の技術として特願２００１−３４９３９３号におけるマットが上げられるが、中間部で折れ曲がらせカム当での移動規制をさせていた。
【０００３】
【発明が解決しようとする課題】
上記従来の技術では、ぎこちない動きに加え金具等での被介護者又は寝具の巻き込みがおき、この事が被介護者に大きな負担になる。
この発明は、ベッド上で便器の使用が容易にできると共に被介護者の不安などを取除き便器昇降前後装置がスムーズに動くことを課題とする。
【０００４】
【発明が解決しようとするための手段】
細長く分割されたマットの途中より互い違いにスリットを入れたマットと、ステー等の押し上げ部材がマット内に組み込まれている事を特徴とした便器昇降前後装置用マットである。
【０００５】
【発明の実施の形態】
以下本発明の実施の形態について説明する。
細長く分割されたマット１の途中より互い違いにスリットを入れたマット２を配し、その一端をベッド８に固定する。分割されたマットの約３分の１の部分にはステー３が有りマット内にステー本体７が組み込まれている。
ステー３自体は、便器昇降前後装置５に完全固定されずステー下部に袋キャップ４を取り付け便器昇降前後装置に配したステー６に差し込むだけでよい。
本発明は、以上のような構造でこれを使用するときは、便器昇降前後装置を動かすことでスムーズになおかつ安全に昇降前後する。
【０００６】
【発明の効果】
互い違いにスリット入れたマットが分割されたマットと１体になっているので、昇降がスムーズに行われ前後にもスムーズな動きをなす。
被介護者又は寝具の巻き込みそうになっても、便器昇降前後装置に配したステーを差し込むだけのためにステーより外れて安全である。
【図面の簡単な説明】
【図１】この発明の平面図。
【図２】この発明の側面図。
【図３】図２の持ち上がった状態の斜視図。
【図４】図３の前進した状態の斜視図。
【図５】図３の下がった状態の斜視図。
【図６】便器昇降前後装置のステーと分割マットステーそれによって支持される分割マットの関係を示す斜視図。
【符号の説明】
１　分割マット本体
２　スリット入りマット
３　分割マットステー本体
４　分割マットステー
５　袋キャップ
６　便器昇降前後装置
７　便器昇降前後装置ステー
８　ベッド本体
【図１】
2004016763.tif 000003
【図２】
2004016763.tif 000004
【図３】
2004016763.tif 000005
【図４】
2004016763.tif 000006
【図５】
2004016763.tif 000007
【図６】
2004016763.tif 000008
(57)【要約】　　　（修正有）【課題】吸入剤を密封することで、経時的劣化を防ぎ、複数種の吸入剤を樹脂製部品内に配置し、配置した吸入剤を任意に自在に取り出し芳香を得る。【解決手段】本品は、装飾具の一部分を、吸入剤２を密封させた樹脂製プレート部品１にして、そのプレート状部品１を着脱させることにより、香り孔３より芳香を得、装飾具の変化を楽しむと共に吸入剤の効用を、継続的に自由なスペースにおいて使用できるようにした。【選択図】図２
2004016765.tif 000002
【特許請求の範囲】
【請求項１】
指輪及びブレスレット等の装飾具本体に連結部を作り、吸入剤を配置した被吸入源部品を装飾部本体の連結部に自在に着脱させることを特徴とした吸入用携帯装飾具。
【請求項２】
前記、被吸入源部品は、吸入剤が樹脂製プレート内の複数の領域に配置され、吸入剤を個々に破断することで、任意に芳香を得られることを特徴とした吸入用携帯装飾具。
【発明の詳細な説明】
【０００１】
【発明の属する技術分野】
この発明は、装飾具の一部分に吸入剤を密封した部品を着脱できるようにし、吸入剤付き装飾具を自在に携帯できるようにした。
【０００２】
【従来の技術】
従来の吸入剤付き装飾品は、製品そのものに吸入剤が添加されており、吸入剤の種類は、製品に固定的であった。また、未使用時においても吸入剤の成分の一部が外部に出現していたため時間の経過によって吸入剤の成分が劣化していた。
【０００３】
【発明が解決しようとする課題】
吸入剤を密封することで、経時的劣化を防ぎ、複数種の吸入剤を樹脂製部品内に配置し、配置した吸入剤を任意に自在に取り出し芳香を得ようとする。
【０００４】
【課題を解決するための手段】
本品は、装飾具の一部分を、吸入剤を密封させた樹脂製プレート部品にして、そのプレート状部品を着脱させることにより、装飾具の変化を楽しむと共に吸入剤の効用を、継続的に自由なスペースにおいて使用できるようにした。
【０００５】
【発明実施の形態】
本品を図面において説明すれば、
本発明の指輪５の指輪トップピン４に、吸入剤２を密封したプレート状部品１の装着孔７に装着し、密封された吸入剤２を指等の圧力を用いて針状突起８に押しつけ、密封された吸入剤２を破断することで密封状態を開放し、香り孔３より芳香を得る。この時吸入剤２を密封したプレート状部品１は、指輪トップピン４の形状により、自在に回転させることができ、またこの部品を任意に交換することで、個性的な装飾性を得る。本発明のブレスレット６の場合は、吸入剤２ａを密封したプレート状部品１ａの両端部１ｂ、１ｃをブレスレットの両端部６ａ，６ｂに装着し、密封されている吸入剤２ａを指等の圧力を用いて針状突起８ａに押しつけ、密封された吸入剤２ａを破断することで密封状態を開放し、香り孔３ａより芳香を得る。吸入剤２ａを密封したプレート状部品１ａの色や形状を変化させることで、個性的な装飾性を得る。
【０００６】
【発明の効果】
本発明は、従来の吸入剤付き装飾品の欠点であった芳香の劣化性を改善し、芳香が与える回りへの影響を最小限にするものである。本発明は、装飾性を持つプレート状部品の多様な選択が可能なため、個々が個性的で自在な演出ができることで、満足感が得られる。このことでアロマセラピーの相乗的増進効果の享受が期待できる。
【図面の簡単な説明】
【図１】本発明、指輪の一部に装着するプレート状部品の平面図である。
【図２】本発明、指輪の一部に装着するプレート状部品の断面図である。
【図３】本発明、指輪の断面図である。
【図４】本発明、指輪にプレート状部品を装着した状態の側面図である。
【図５】本発明、指輪にプレート状部品を装着した状態の斜視図である。
【図６】本発明、ブレスレットの一部に装着するプレート状部品の平面図である。
【図７】本発明、ブレスレットの一部に装着するプレート状部品の側面図である。
【図８】本発明、ブレスレットの一部に装着するプレート状部品の断面図である。
【図９】本発明、ブレスレットにプレート状部品を装着した状態の斜視図である。
【符号の説明】
１吸入剤を密封したプレート状部品
１ｂ，１ｃプレート状部品の一端部
２吸入剤
３香り孔
４指輪のトップピン
５指輪
６ブレスレット
６ａ，６ｂブレスレットの一端部
８，８ａ針状突起
【図１】
2004016765.tif 000003
【図２】
2004016765.tif 000004
【図３】
2004016765.tif 000005
【図４】
2004016765.tif 000006
【図５】
2004016765.tif 000007
【図６】
2004016765.tif 000008
【図７】
2004016765.tif 000009
【図８】
2004016765.tif 000010
【図９】
2004016765.tif 000011